(57)【特許請求の範囲】
【請求項１】
設置した吊ボルト又は斜頚ボルトにワッシャーの落下を防いでナット締めをする装置であって、
木板、金属、プラスチックのいずれかを用いて板と弾力を有する合成樹脂系の薄板とを備え、
前記板に開口部と連接する貫通孔を設け、前記貫通孔と前記開口部の表面側と裏面側の両面に前記合成樹脂系の薄板を形成し、
表面側と裏面側に形成した前記合成樹脂系の薄板に前記開口部の端から前記貫通孔の奥端まで挿入口を形成し、分切込んだ挟持部を設けて、前記挟持部の先端よりボルトのネジ溝を前記貫通孔で差し込むと、前記合成樹脂系の薄板の前記挟持部によってネジ溝を挟持することを特徴とするワッシャー落下防止具。
【請求項２】
弾性を有する前記合成樹脂系の薄板の前記挟持部に設けた前記開口部端より奥までの分切込みに、直角、又は斜めに一か所又は複数か所の交差する切込みを設けたことを特徴とする請求項１記載のワッシャー落下防止具。  
【請求項３】
弾性を有する前記合成樹脂系の薄板の前記挟持部にゴム板、又はシリコン板のいずれかを用いたことを特徴とする請求項１、請求項２いずれか１項記載のワッシャー落下防止具。
【請求項４】
前記板の面又はグリップに永久磁石を1個又は複数個設けたことを特徴とする請求項１、請求項２、請求項３いずれか１項記載のワッシャー落下防止具。
【発明の詳細な説明】
【技術分野】
【０００１】
本発明は、設備工事、建設工事、及び電気工事において、吊りボルト等の取付作業でワッシャーの落下防止をして、容易に取付工事をすることに関する。
【背景技術】
【０００２】
従来、吊り型エアコン、天井埋込型換気扇等の設備工事、また配線、配管工事等の取付対象物において用いるもので、これらの取付対象物の取付工事において、吊りボルト、又は取付時不安定な壁面ボルトのネジ溝に取付対象物の取付金具孔を挿入し、その取付金具孔の下にワッシャーを入れながらナットを回し固定する作業において、ワッシャーを支持し、取付対象物も押えながらナットを回して締めつける固定作業の状況は作業効率が悪いものである。
また、取付対象物を押え、ナットをボルトに接触するまでにワッシャーが脱落することがあり作業に困難を生じる問題がある。
【０００３】
そこで、座金の肉厚よりも狭い間隔を保って対向配置すると共に、さらに、両部材の間に差し込まれる座金によって各先端側が押し拡がった際に、それに抗する方向に付勢力が働くように前記両部材の基端側を固着し、両部材の各先端側に形成された挟持部には、先端側に座金を差し込み容易にする差込部を備え、基端側には、ホットティックを連結する取付部を備えていることを特徴とした座金落下防止具がある（例えば特許文献１参照）
【０００４】
また、略鉛直なボルトを挿通するための開口部が形成された座金において、重心が中心からずれたことを特徴とする座金がある（例えば特許文献２参照）
【先行技術文献】
【特許文献】
【０００５】
【特許文献１】特開２００３−２５０２１７
【特許文献２】実用新案公開平成６−３７６１９
【発明の概要】
【発明が解決しようとする課題】
【０００６】
しかし、特許文献１の特許の座金落下防止具は座金を挟んだ状態で固着し支持して作業を行うものであって、一方の手離すことができないものである。
【０００７】
また、特許文献２の考案の座金はボルトの溝に被掛けて落ちないように成形された座金であることから、作業時の振動においては不安定である。
【課題を解決するための手段】
【０００８】
そこで本発明は、上記の課題になされたもので、吊りボルト等の取付作業で様々なワッシャーを用いるとき、ワッシャーを手で支持せずボルトのネジ溝等より落下せず、ナットを締めつけが容易にでき、作業の効率を高める工具を提供するものである。
【０００９】
上記の目的を達成するために、本発明は設置した吊ボルト又は斜頚ボルトにワッシャーの落下を防いでナット締めをする装置であって、
木板、金属、プラスチックのいずれかを用いて板と弾力を有する合成樹脂系の薄板とを備え、
前記板に開口部と連接する貫通孔を設け、前記貫通孔と前記開口部の表面側と裏面側の両面に前記合成樹脂系の薄板を形成し、表面側と裏面側に形成した前記合成樹脂系の薄板に前記開口部の端から前記貫通孔の奥端まで挿入口を形成し、分切込んだ挟持部を設けて、前記挟持部の先端よりボルトのネジ溝を前記貫通孔で差し込むと、前記合成樹脂系の薄板の前記挟持部によってネジ溝を挟持することを特徴。
【００１０】
弾性を有する前記合成樹脂系の薄板の前記挟持部に設けた前記開口部端より奥までの分切込みに、直角、又は斜めに一か所又は複数か所の交差する切込みを設けたことを特徴とする。  
【００１１】
弾性を有する前記合成樹脂系の薄板の前記挟持部にゴム板、又はシリコン板のいずれかを用いたことを特徴とする。
【００１２】
前記板の面又はグリップに永久磁石を1個又は複数個設けたことを特徴とする。
【発明の効果】
【００１３】
以上の説明から明らかのように、本発明にあっては次に列挙する効果が得られる。
【００１４】
本発明のワッシャー落下防止具は小型で携帯に便利なことから、天吊り、壁面等のボルトにエアコン、換気装置、設備工事等においてワッシャーを挿入したワッシャーの落下を防止して、ナット締めの取付作業を敏速に進めることができるものである。
【００１５】
板面に磁石を設けたことで、磁石吸着材のボルトにおいては一時的に板面の磁石によってボルトの胴部、ネジ部に吸着することで簡易的にワッシャーの落下を防ぐことができ、作業の即効性を求めることができる。
【００１６】
また、前記記載の高所作業において取付箇所が狭く、指でのワッシャーの支持が困難な状況においても有効な作業効果が得られる。
【００１７】
また、構造が簡単なことで、製造が容易である。
【図面の簡単な説明】
【００１８】
【図１】本発明の第一実施例において、板に開口部と連通した貫通孔を設けた平面図である。
【図２】本発明の第一実施例図１の貫通孔に弾性を有する薄板の挟持部を設けて、開口部の挿入口より奥までの分切込み設けた平面図である。
【図３】第一実施例の形態の斜視図である。
【図４】第一実施例の形態の側面図である。
【図５】第一実施例において円形板のワッシャー落下防止具の平面図である。
【図６】ワッシャー落下防止具をネジ溝に差し込む状態の要部斜視図である。
【図７】ワッシャー落下防止具をネジ溝に差し込み、挟持した状態の要部斜視図である。
【図８】第一実施例ワッシャー落下防止具の板の表面と裏面に挟持部を設けて、切込を形成した斜視図である。
【図９】図８の側面図である。
【図１０】挟持材を二枚の板で挟んで形成した平面図である。
【図１１】図１０の側面図である。
【図１２】本発明の第二実施例で薄板の挟持部の分切込に交差するように、直角に切込を形成した平面図である。
【図１３】第二実施例で薄板の挟持部の分切込に交差するように、斜めに切込を形成した平面図である。
【図１４】第二実施例で薄板の挟持部の分切込に交差するように、直角に複数の切込を形成した平面図である。
【図１５】第二実施例で薄板の挟持部の分切込に交差するように、斜めに複数の切込を形成した平面図である。
【図１６】第四実施例のワッシャー落下防止のグリップに磁石を設けた平面図である。
【図１７】第四実施例のワッシャー落下防止の板の面に磁石を設けた平面図である。
【図１８】第四実施例の磁石を設けたワッシャー落下防止具を用いて、ネジ溝に磁石部を吸着した要部斜視図である。
【発明を実施するための形態】
【００１９】
本発明の実施例の形態について図面を参照して説明する。
【００２０】
最初に、本発明の第一実施例の形態について図１ないし図９を参照して説明する。
図１は本発明の第一実施例において、板に貫通孔と外周とを連通する開口部を設けた平面図である。
図２は本発明の第一実施例図１の貫通孔に弾性を有する薄板の挟持部を設けて、開口部の挿入口より奥まで切込み設けた平面図である。
図３は第一実施例の形態の斜視図である。
図４は第一実施例の形態の側面図である。
図５は第一実施例において円形の板を用いたワッシャー落下防止具の平面図である。
図６はワッシャー落下防止具をボルトのネジ溝に差し込む状態の要部斜視図である。
図７はワッシャー落下防止具をネジ溝に差し込み、挟持した状態の要部斜視図である。
図８は第一実施例ワッシャー落下防止具の板の表面と裏面に挟持部を設けて、分切込を形成した斜視図である。
図９は図８の側面図である。
【００２１】
図１、図８及び図９に示す如く、第一実施例のワッシャー落下防止具１は角形板２または円形板２１で角形板２、円形板２１の材質は木板、金属、プラスチック等の型崩れしないいずれかの材料を用いて、角形板２、円形板２１に貫通孔３が設けて、貫通孔３と外周とを連通する開口部７を設けられている。
角形板２または円形板２１に設けられた貫通孔３と連接した開口部５の表面側と裏面側の両面に弾力を有する合成樹脂の薄板の挟持部４を設ける、弾性を有する合成樹脂の薄板の挟持部４を設けるにあたり角形板２又は円形板２１に張った状態で貼り付け固定する。
また、図８、図９に示すように、貫通孔３と開口部５に設けた弾性を有する合成樹脂の薄板の挟持部４に開口部５を設けて、挿入口７より貫通孔３の奥端まで分切込み６を設けることで弾性を有する合成樹脂の薄板の挟持部４は左右に分離し状態となった合成樹脂の薄板の挟持部４である、また貫通孔３と連通する開口部５は外周に向かい拡開する形状にすることでボルト９のネジ溝１０又は胴部１１の挿入が容易となる。
よって、ボルト９等の棒状の物は挿入すると分切込み６の間に挟まると弾性を有する合成樹脂の薄板の挟持部４の復元力により挟持状態となる。
また、ワッシャー落下防止具１の着脱を容易にするためグリップ１４を設ける、なおボルト９、ネジ溝１０、胴部は１１、ワッシャー１２及びナット１３である。
【００２２】
なお、図１ないし図７に示す如く、ワッシャー落下防止具１は角形板２または円形板２１で角形板２、円形板２１の材質は木板、金属、プラスチック等の型崩れしないいずれかの材料を用いて、角形板２、円形板２１に貫通孔３が設けて、貫通孔３と外周とを連通する開口部７を設けられている。
角形板２または円形板２１に設けられた貫通孔３と連接した開口部５の一方の面の全面に弾性を有する合成樹脂の薄板の挟持部４を設ける、弾性を有する合成樹脂の薄板の挟持部４を設けるにあたり角形板２又は円形板２１に張った状態で貼り付け固定する。
【００２３】
また、図２に示すように、貫通孔３と開口部５に設けた弾性を有する合成樹脂の薄板の挟持部４に開口部５を設けて、挿入口７より貫通孔３の奥端まで分切込み６を設けることで弾性を有する合成樹脂の薄板の挟持部４は左右に分離し状態となった合成樹脂の薄板の挟持部４である、また貫通孔３と連通する開口部５は外周に向かい拡開する形状にすることでボルト９のネジ溝１０又は胴部１１の挿入が容易となる。  
【００２４】
また、弾性を有する薄板の挟持部４はゴム板、シリコン板、プラスチック等の合成樹脂系、又は薄い金属を用いる。
【００２５】
したがって、上記の構成により本発明の第一実施例のワッシャー落下防止具１は天井等の上部より下方向、又は斜め方向に設けたボルト９に吊り下げのエアコン又は天井埋込型換気扇等の取付対象物Ｄの取付けにおいて、エアコン又は天井埋込型換気扇等の取付対象物Ｄの取付け孔１６にワッシャー１２を用いてナット１３締め工事をするとき、落下を防ぎながらナット１３の締めを容易にするため、図６、図７に示すように吊りボルト９に取付け孔１６を挿入し、次にワッシャー１２を挿入して、その下側にワッシャー落下防止具1を利用する、ワッシャー１２の下側のボルト９のネジ溝１０又は胴部１１に該ワッシャー落下防止具１のグリップ１４を掴み開口部５に設けた薄板の挟持部４の分切込み６の挿入口７に押し付け薄板の挟持部４に分切込み６の中央か奥端まで挿入し、挿入した状態でネジ溝１０又は胴部１１を挟持した弾性を有する薄板の挟持部４は復元力によりネジ溝１０又は胴部１１に挟持してワッシャー落下防止具１が挿入した位置に留まることで上部のワッシャー１２の落下を防ぐことができる。
【００２６】
ワッシャー１２の落下を防ぐことからエアコン等の取付対象物Ｄを支持し、もう一方の手でネジ溝１０にナット１３を回しさせながら一定の位置まで締めた状態でワッシャー落下防止具１のグリップ１４によって、ネジ溝１０から引きぬく、引きぬいた後にナット１３を本締めすることで、極めて効率よく安全に作業を進めることができ、作業の効率を高めることができる。
【００２７】
なお、図１０は薄板の挟持部を二枚の角形板で挟んで形成した平面図である。
図１１は図１０の側面図である。
図１０、図１１に示す構造で、二枚の角形板２または円形板２１の同形状の板の間に挟み固定をする構造にすることで合成樹脂の薄板の挟持部４を強固に固定にすることができる。
【００２８】
なお、貫通孔３の径と連通した開口部４の幅は各種のボルト径を挿入できる寸法とする、例として貫通孔３の径を１２ｍｍであるとき、ボルの径が１０ｍｍ前後以下は挿入して挟持できる。
【００２９】
また、本発明の第二実施例の形態について図１２ないし図１４を参照して説明する。
図１２は本発明の第二実施例で合成樹脂の薄板の挟持部の分切込に交差するように、直角に切込を形成した平面図である。
図１３は第二実施例で合成樹脂の薄板の挟持部の分切込に交差するように、斜めに切込を形成した平面図である。
図１４は第二実施例で合成樹脂の薄板の挟持部の分切込に交差するように、直角に複数の切込を形成した平面図である。
図１５第は二実施例で合成樹脂の薄板の挟持部の分切込に交差するように、斜めに複数の切込を形成した平面図である。
【００３０】
なお、第二実施例のワッシャー落下防止具１ａについて説明にあたり、第一実施例との重複には一部省略をする。
【００３１】
図１２、図１３、図１４及び図１５に示す如く、角形板、円形板に設けた貫通孔３、及び開口部５に設けられた弾性を有する合成樹脂の薄板の挟持部４の分切込み６に対して直角に切込み交差するように横切込み８１、又は分切込み６に対して斜め状に交差する斜め切込み８２を一か所又は複数か所設けたワッシャー落下防止具１ａである。
【００３２】
したがって、上記の構造により本発明の第二実施のワッシャー落下防止具１ａは天井等の上部より下方向、又は斜め方向に設けたボルト９に吊り下げのエアコン、天井埋込型換気扇等の取付対象物Ｄの取付けにおいて、エアコン、天井埋込型換気扇等の取付対象物Ｄの取付け孔１６にワッシャー１２を用いてナット１３締め工事をするとき、吊りボルト９に取付け孔１６を挿入し、次にワッシャー１２を挿入して、その下側にワッシャー落下防止具1ａを利用する、ワッシャー１２の下側のボルト９のネジ溝１０又は胴部１１にワッシャー落下防止具１ａのグリップ１４を掴み開口部５に設けた合成樹脂の薄板の挟持部４の分切込み６の挿入口７に押し付け薄板の挟持部４に分切込み６の中央か奥端まで押し込む、押し込んだ状態でネジ溝１０又は胴部１１に差込むと分切込み６と横切込み８１又は分切込み６と斜め切込み８２の間に収まりワッシャー落下防止具１ａは傾きが少なく水平状態に収まり極めて安定した状態を維持することができる、
よって、弾性を有する合成樹脂の薄板の挟持部４は復元力によりネジ溝１０又は胴部１１に挟持してワッシャー落下防止具１が挿入した位置に留まることで上部のワッシャー１２の落下を防ぐことができる。
【００３３】
ワッシャー１２の落下を防ぐことからエアコン等の取付対象物Ｄを支持し、もう一方の手でネジ溝１０にナット１３を回しさせながら一定の位置まで締めた状態でワッシャー落下防止具１のグリップ１４によって、ネジ溝１０から引きぬく、引きぬいた後にナット１３を本締めすることで、極めて効率よく安全に作業を進めることができ、作業の効率を高めることができる。
【００３４】
また、本発明の第三実施例の形態について弾性を有する合成樹脂の薄板の挟持材部に合成樹脂系で、ゴム板又はシリコン板のいずれかを用いるとき、ほぼ同様な挟持できるものである、
また、薄い金属板を用いることで自然状況によって熱せられた状態のボルト９の作業においても薄い挟持部４の変形をすることなく効率的な作業ができるものである。
【００３５】
また、本発明の第四実施例の形態について図１６、図１７及び図１８を参照して説明する。
図１６は第四実施例のワッシャー落下防止のグリップに磁石を設けた平面図である。
図１７は第四実施例のワッシャー落下防止の板の面に磁石を設けた平面図である。
図１８は第四実施例の磁石を設けたワッシャー落下防止具を用いて、ネジ溝に磁石を吸着してワッシャー落下防止具を装着した要部斜視図である。
【００３６】
なお、第四実施例のワッシャー落下防止具１ｂについて説明にあたり、第一実施例と第二実施の重複には一部省略をする。
【００３７】
図１６、図１７及び図１８に示す如く、第四実施例のワッシャー落下防止具１ｂは角形板２、円形板２１の板に貫通孔３が設けて、貫通孔３と外周とを連通する開口部５を設けられている該板の面に磁石１５を１個又は複数個設ける、
または、板の端に設けたグリップ１４に１個又は複数個設けたワッシャー落下防止具１ｂを設けて、角形板２１、円形板２に設けた貫通孔３、及び開口部に設けられた弾性を有する薄板の挟持部４の分切込み６に対して直角に切込み交差するように横切込み８１、又は分切込み６に対して斜め状に交差する斜め切込み８２を設けたワッシャー落下防止具１ｂである。
【００３８】
したがって、上記の構造により本発明の第四実施例のワッシャー落下防止具１ｂを用いて天井等の上部より下方向、又は斜め方向に設けた磁石吸着可能なボルト９１に吊り下げのエアコン、天井埋込型換気扇等の取付対象物Ｄの取付けにおいて、エアコン、天井埋込型換気扇等の取付対象物Ｄの取付け孔１６にワッシャー１２を用いてナット１３締め工事をするとき、吊りボルト９１に取付対象物Ｄの取付け孔１６を挿入し、次にワッシャー１２を挿入して、その下側にワッシャー落下防止具1ａを開口部５よりネジ溝１０又は胴部１１の径が合わず挿入できないとき角形板２、円形板２１又はグリップ１４に設けた磁石１５の部分を即座にボルト９１のネジ溝１０又は胴部１１に吸着することでワッシャー１２の落下を防ぎ、ナット締めを効率よく作業を進めることができるものである。
【符号の説明】
【００３９】
１、１ａ、１ｂはワッシャー落下防止具  
２は角形板  
２１は円形板  
３は貫通孔  
４は弾性を有する薄板の挟持部  
５は開口部  
６は分切込み  
７は挿入口  
８１は横切込み  
８２は斜め切込み  
９、９１はボルト  
１０はネジ溝  
１１は胴部
１２はワッシャー  
１３はナット  
１４はグリップ  
１５は磁石  
１６は取付け孔  
Ｄは取付対象物
【図１】
0006268337.tif 000002
【図２】
0006268337.tif 000003
【図３】
0006268337.tif 000004
【図４】
0006268337.tif 000005
【図５】
0006268337.tif 000006
【図６】
0006268337.tif 000007
【図７】
0006268337.tif 000008
【図８】
0006268337.tif 000009
【図９】
0006268337.tif 000010
【図１０】
0006268337.tif 000011
【図１１】
0006268337.tif 000012
【図１２】
0006268337.tif 000013
【図１３】
0006268337.tif 000014
【図１４】
0006268337.tif 000015
【図１５】
0006268337.tif 000016
【図１６】
0006268337.tif 000017
【図１７】
0006268337.tif 000018
【図１８】
0006268337.tif 000019